(57)【要約】【課題】本発明は、トレイ状に組立可能で、かつ製函コストを抑えることができる箱用シートの提供を課題とする。【解決手段】本発明の箱用シートは、左右方向の一方側から他方側に交互に連接され、四角筒状に組み立てられる一対の第１側面パネル及び一対の第２側面パネルと、一対の第２側面パネルの上縁から延出し、内側に折り曲げられる一対の接続フラップとを備え、一対の接続フラップ間に上部開口が形成される箱型に組立可能であり、第１側面パネルが、略矩形状の本体及びこの本体の上縁の一部から突出する突片を有し、突片が、本体の上縁から連続する基端部及びこの基端部から上方に連続する拡幅部を有し、接続フラップが、組立状態で一対の第１側面パネルの上縁間に架け渡される天面部及びこの天面部の側縁から延出する折曲部を有し、接続フラップが、天面部及び折曲部の境界部分で本体及び拡幅部の間に係止可能に構成される。【選択図】図１
2020183268.tif 000002
【特許請求の範囲】
【請求項１】
左右方向の一方側から他方側に交互に連接され、四角筒状に組み立てられる一対の第１側面パネル及び一対の第２側面パネルと、
上記一対の第２側面パネルの上縁から延出し、内側に折り曲げられる一対の接続フラップと
を備え、
上記一対の接続フラップ間に上部開口が形成される箱型に組立可能であり、
上記第１側面パネルが、略矩形状の本体及びこの本体の上縁の一部から突出する突片を有し、
上記突片が、上記本体の上縁から連続する基端部及びこの基端部から上方に連続する拡幅部を有し、
上記接続フラップが、組立状態で上記一対の第１側面パネルの上縁間に架け渡される天面部及びこの天面部の側縁から延出する折曲部を有し、
上記接続フラップが、上記天面部及び折曲部の境界部分で上記本体及び拡幅部の間に係止可能に構成される箱用シート。
【請求項２】
上記本体の上縁から延出し、組立状態でこの本体の内面側に折り返される折り返しフラップをさらに備える請求項１に記載の箱用シート。
【請求項３】
上記折り返しフラップが上記突片を取り囲んでいる請求項２に記載の箱用シート。
【請求項４】
上記折り返しフラップと上記折曲部とが破断容易線によって分離可能に接続されている請求項２又は請求項３に記載の箱用シート。
【請求項５】
上記接続フラップが、上記天面部と折曲部との先端部同士を分離するスリットを有し、上記基端部がこのスリットに嵌合可能に構成される請求項１から請求項４のいずれか１項に記載の箱用シート。
【請求項６】
上記本体及び突片間の境界に折り曲げ容易線を有しない請求項１から請求項５のいずれか１項に記載の箱用シート。
【発明の詳細な説明】
【技術分野】
【０００１】
本発明は、箱用シートに関する。
【背景技術】
【０００２】
段ボールシート等から構成される箱用シートを組み立ててなる箱体が物品の保管、運搬用容器として広く用いられている。この箱体としては、例えば略方形状の底板、及びこの底板の側辺から上方に伸びる４つの側板を備え、上方に開口したトレイ状のものが利用されている。
【０００３】
一般にトレイ状の箱体は、底板を形成する略矩形状の底面パネルと、この底面パネルの各辺から延出し、側板を形成する４つの側板形成用パネルとを有するシート体から組み立てられる（特開２０１５−６３３２５号公報参照）。
【先行技術文献】
【特許文献】
【０００４】
【特許文献１】特開２０１５−６３３２５号公報
【発明の概要】
【発明が解決しようとする課題】
【０００５】
しかしながら、上記公報に記載されているようなトレイ状の箱体は、製函機に要するコストが大きく、製函コストが高くなる。
【０００６】
本発明は、このような事情に鑑みてなされたものであり、トレイ状に組立可能で、かつ製函コストを抑えることができる箱用シートの提供を課題とする。
【課題を解決するための手段】
【０００７】
上記課題を解決するためになされた本発明に係る箱用シートは、左右方向の一方側から他方側に交互に連接され、四角筒状に組み立てられる一対の第１側面パネル及び一対の第２側面パネルと、上記一対の第２側面パネルの上縁から延出し、内側に折り曲げられる一対の接続フラップとを備え、上記一対の接続フラップ間に上部開口が形成される箱型に組立可能であり、上記第１側面パネルが、略矩形状の本体及びこの本体の上縁の一部から突出する突片を有し、上記突片が、上記本体の上縁から連続する基端部及びこの基端部から上方に連続する拡幅部を有し、上記接続フラップが、組立状態で上記一対の第１側面パネルの上縁間に架け渡される天面部及びこの天面部の側縁から延出する折曲部を有し、上記接続フラップが、上記天面部及び折曲部の境界部分で上記本体及び拡幅部の間に係止可能に構成される。
【０００８】
当該箱用シートは、第２側面パネルの上縁から延出する接続フラップが、天面部及び折曲部の境界部分で第１側面パネルの本体及び拡幅部の間に係止可能に構成されることで、この天面部によって内容物を上方から支持可能で、かつこの天面部上に他の箱体を積み重ね可能なトレイ状の箱体に組み立てられる。当該箱用シートは、上記各一対の第１側面パネル及び第２側面パネルを四角筒状に組み立てて箱体を形成するものであり、Ａ式（いわゆるミカン箱タイプ）用の製函機を用いて安価に製函することができる。
【０００９】
当該箱用シートは、上記本体の上縁から延出し、組立状態でこの本体の内面側に折り返される折り返しフラップをさらに備えるとよい。このように、上記本体の上縁から延出し、組立状態でこの本体の内面側に折り返される折り返しフラップをさらに備えることによって、箱体内に収容される物品を上記折り返しフラップによって側方から押さえることができ、この物品の箱体内でのぐらつきを抑制し、この物品を箱体内に安定的に保持することができる。
【００１０】
上記折り返しフラップが上記突片を取り囲んでいるとよい。このように、上記折り返しフラップが上記突片を取り囲んでいることによって、箱体内に収容される物品の箱体内でのぐらつきをより確実に抑制できると共に、上記折り返しフラップによって上記突片の意図しない損傷を抑えることができる。
【００１１】
上記折り返しフラップと上記折曲部とが破断容易線によって分離可能に接続されているとよい。このように、上記折り返しフラップと上記折曲部とが破断容易線によって分離可能に接続されていることによって、組立段階に対応して上記破断容易線を破断することで、製函時における上記折曲部の意図しない接触を防止することができる。
【００１２】
上記接続フラップが、上記天面部と折曲部との先端部同士を分離するスリットを有し、上記基端部がこのスリットに嵌合可能に構成されるとよい。このように、上記接続フラップが、上記天面部と折曲部との先端部同士を分離するスリットを有し、上記基端部がこのスリットに嵌合可能に構成されることによって、上記接続フラップを上記本体及び拡幅部の間に容易かつ確実に係止することができる。
【００１３】
当該箱用シートは、上記本体及び突片間の境界に折り曲げ容易線を有しないとよい。このように、上記本体及び突片間の境界に折り曲げ容易線を有しないことによって、一対の上記突片を、積み重ねられる他の箱体を左右方向の両側から支持するガイドとして機能させやすい。
【００１４】
なお、本発明において、「左右方向」とは、箱用シートを組み立ててなる箱体において想定される一般的な使用態様における水平方向をいう。「上」とは、上記左右方向を基準とする上を意味する。「内側」とは、箱体における内面側を意味する。
【発明の効果】
【００１５】
以上説明したように、本発明に係る箱用シートは、トレイ状に組立可能で、かつ製函コストを抑えることができる。
【図面の簡単な説明】
【００１６】
【図１】図１は、本発明の一実施形態に係る箱用シートを示す模式的平面図である。
【図２】図２は、図１の箱用シートを組み立ててなる箱体を示す模式的斜視図である。
【図３】図３は、図２の箱体の模式的平面図である。
【図４】図４は、図１の箱用シートの一対の第１側面パネル及び一対の第２側面パネルを無端状に接続した状態を示す模式的平面図である。
【図５】図５は、図２の箱体における接続フラップの係止構造を示す模式的部分拡大斜視図である。
【図６】図６は、図１の箱用シートの接続フラップと折り返しフラップとの接続部分を示す模式的部分拡大図である。
【発明を実施するための形態】
【００１７】
以下、適宜図面を参照しつつ、本発明の実施の形態を詳説する。
【００１８】
［第一実施形態］
図１の箱用シート１は、１枚のシートからなる。当該箱用シート１は、左右方向の一方側から他方側に交互に連接され、四角筒状に組み立てられる一対の第１側面パネル１１及び一対の第２側面パネル１２と、一対の第２側面パネル１２の上縁から延出し、内側に折り曲げられる一対の接続フラップ１３とを備える。また、当該箱用シート１は、一対の第１側面パネル１１の上縁（詳しくは、後述する本体１１ａの上縁）から延出する一対の折り返しフラップ１４を備える。さらに、当該箱用シート１は、一対の第１側面パネル１１の下縁から延出する一対の底外フラップ１５と、一対の第２側面パネル１２の下縁から延出する一対の底内フラップ１６と、左右方向外側に位置する第１側面パネル１１の第２側面パネル１２との連接側と反対側の側縁に連接される糊代１７とを備える。なお、図１において、太い実線はシートを切断して形成される切断線を示し、細い実線はシートの内面に筋押しして形成される罫線を示す。また、本明細書において、「下」とは、左右方向を基準とする下を意味する。
【００１９】
当該箱用シート１は、一対の接続フラップ１３間に上部開口が形成される箱型に組立可能であり、具体的には図２及び図３に示す箱体２に組み立てられる。箱体２の組立手順について説明する。まず、図４に示すように、左右方向外側に位置する第１側面パネル１１（糊代１７が連接される第１側面パネル１１）をこの第１側面パネル１１に連接される第２側面パネル１２の内面に折り重ね、左右方向外側（糊代１７が設けられる側と反対側）に位置する第２側面パネル１２をこの第２側面パネル１２に連接される第１側面パネル１１の内面に折り重ね、糊代１７を折り重ねられた第２側面パネル１２の内面に貼着する。
【００２０】
続いて、無端状に接続された一対の第１側面パネル１１及び一対の第２側面パネル１２を四角筒状に広げたうえ、一対の底内フラップ１６を内側に折り曲げ、一対の底外フラップ１５を内側に折り曲げて先端縁同士を突き合わせ、箱体２の底部を組み立てる。次に、一対の折り返しフラップ１４を一対の第１側面パネル１１の内面側に折り返した後、一対の接続フラップ１３を一対の第１側面パネル１１の上縁間に架け渡すよう内側に折り曲げ、これらの接続フラップ１３を第１側面パネル１１に係止する。
【００２１】
当該箱用シート１は、一対の第１側面パネル１１及び一対の第２側面パネル１２が無端状に接続された状態で箱体２の使用者（ユーザ）に提供される。この無端状に接続された状態では、接続フラップ１３と折り返しフラップ１４とは、後述の破断容易線２２を介して接続されている。当該箱用シート１は、ユーザが箱体２を組み立てる際に接続フラップ１３と折り返しフラップ１４とを分離することが好ましい。なお、図２に示すように、一対の底外フラップ１５の先端縁同士の突き合わせ部には、例えば封函テープＸが貼着され、これにより箱体２の下部開口が封止される。
【００２２】
当該箱用シート１に用いられるシートとしては、当該箱用シート１を組み立ててなる箱体２の形状を維持できる程度の強度を有し、かつ適度な反発力を有している限り特に限定されないが、典型的には段ボールシートが挙げられる。当該箱用シート１を形成する段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。上記シートが両面段ボールシートである場合、当該箱用シート１のシート厚さとしては、例えば１．５ｍｍ以上５ｍｍ以下程度とすることができる。
【００２３】
（第１側面パネル）
一対の第１側面パネル１１は略同一形状に形成されている。第１側面パネル１１は、略矩形状の本体１１ａ及び本体１１ａの上縁の一部から突出する突片１１ｂを有する。本体１１ａは、第２側面パネル１２と左右方向に連接され、第２側面パネル１２と共に箱体２の側壁を構成する。本体１１ａの左右方向長さは、第２側面パネル１２の左右方向長さよりも大きい。つまり、第１側面パネル１１は、本体１１ａが箱体２の長さ面を形成する長さ面パネルである。
【００２４】
本体１１ａの左右方向長さとしては、箱体２に収容する物品の大きさ等に基づいて適宜設定可能であるが、例えば２０ｃｍ以上５０ｃｍ以下とすることができる。本体１１ａの上下方向長さとしては、箱体２に収容する物品の大きさ等に基づいて適宜設定可能であるが、例えば１０ｃｍ以上５０ｃｍ以下とすることができる。
【００２５】
突片１１ｂは、本体１１ａの左右方向中央部から上方に突出している。好ましくは、突片１１ｂは、本体１１ａの左右方向中心位置を基準として左右対称な形状とされる。突片１１ｂは、本体１１ａの上縁から連続する基端部２１ａと基端部２１ａから上方に連続する拡幅部２１ｂとを有する。
【００２６】
基端部２１ａは、上下方向長さに対して左右方向長さの大きい矩形状である。基端部２１ａの上下方向長さＬ１は当該箱用シート１のシート厚さ以上とされる。当該箱用シート１のシート厚さに対する基端部２１ａの上下方向長さＬ１の比の下限としては、１．０であり、２．０が好ましく、２．５がより好ましい。一方、上記比の上限としては、５．０が好ましく、３．５がより好ましい。上記比が上記下限に満たないと、本体１１ａと拡幅部２１ｂとの間に接続フラップ１３を係止し難くなるおそれがある。逆に、上記比が上記上限を超えると、接続フラップ１３の係止状態で、この接続フラップ１３が上下方向にぐらつきやすくなるおそれがある。
【００２７】
拡幅部２１ｂは、本体１１ａの上縁と対向する左右一対の下縁２１ｃと、これらの下縁２１ｃから連続し、上方に延びる左右一対の側縁２１ｄとを有する。一対の下縁２１ｃは、本体１１ａの上縁と平行に配設される。一対の側縁２１ｄは、一対の下縁２１ｃから連続し、上方かつ左右方向外側に延びる第１部分と、この第１部分から連続し、上方かつ左右方向内側に延びる第２部分とを有する。上記第１部分は、例えば直線状である。上記第２部分は、例えば上方かつ左右方向外側に凸に湾曲している。
【００２８】
本体１１ａと突片１１ｂとの間の境界には折り曲げ容易線は形成されないことが好ましい。当該箱用シート１は、本体１１ａと突片１１ｂとの間の境界に折り曲げ容易線を有しないことによって、一対の突片１１ｂを、一対の接続フラップ１３を固定するための固定部材としての機能に加え、積み重ねられる他の箱体を左右方向の両側から支持するガイドとして機能させやすい。
【００２９】
（第２側面パネル）
一対の第２側面パネル１２は矩形状かつ略同一形状に形成されている。一対の第２側面パネル１２は、箱体２の幅面を形成する幅面パネルである。一対の第２側面パネル１２の上下方向長さとしては、一対の第１側面パネル１１の本体１１ａの上下方向長さと略同じとすることができる。
【００３０】
一対の第２側面パネル１２の左右方向長さとしては、箱体２に収容する物品の大きさ等に基づいて適宜設定可能であるが、例えば１５ｃｍ以上４０ｃｍ以下とすることができる。
【００３１】
（接続フラップ）
接続フラップ１３は、組立状態で一対の第１側面パネル１１の上縁間（より詳しくは、一対の本体１１ａの上縁間）に架け渡される天面部１３ａ及び天面部１３ａの側縁から延出する折曲部１３ｂを有する。また、接続フラップ１３は、天面部１３ａと折曲部１３ｂとの先端部同士を分離するスリット１３ｃを有する。図２、図３及び図５に示すように、接続フラップ１３は、天面部１３ａ及び折曲部１３ｂの境界部分で本体１１ａ及び拡幅部２１ｂの間に係止可能に構成されている。
【００３２】
天面部１３ａは、第２側面パネル１２の上縁に連接されている。天面部１３ａは、組立状態で第２側面パネル１２に対して内側に略垂直に折り曲げられる。これにより、天面部１３ａは、箱体２において、内容物を上方から支持し、内容物の脱落を抑制する支持部として機能すると共に、他の箱体を積み重ねる際の台座として機能する。
【００３３】
天面部１３ａの幅は、この天面部１３ａが連接される第２側面パネル１２の左右方向長さと同じとすることができる。換言すると、天面部１３ａは、第２側面パネル１２の側縁から直線状に延びる側縁を有する構成とすることができる。
【００３４】
折曲部１３ｂは、天面部１３ａの側縁から、この天面部１３ａが連接される第２側面パネル１２と隣接する第１側面パネル１１側に突出している。
【００３５】
天面部１３ａと折曲部１３ｂとの先端部同士は上述のスリット１３ｃによって分離されている。より詳しくは、接続フラップ１３は、第２側面パネル１２の側縁から連続し、天面部１３ａ及び折曲部１３ｂを両者の境界で折り曲げ可能に構成する折り曲げ容易線１３ｄと、この折り曲げ容易線１３ｄから連続するスリット１３ｃとを有している。折り曲げ容易線１３ｄ及びスリット１３ｃは全体として直線状に形成されている。これにより、接続フラップ１３は、図５に示すように、天面部１３ａを一対の本体１１ａの上縁間に架け渡した状態で、折り曲げ容易線１３ｄで折曲部１３ｂを下方に折り曲げ、スリット１３ｃを画定する天面部１３ａ及び折曲部１３ｂの側縁間に基端部２１ａを挟み込むことができるよう構成されている。すなわち、当該箱用シート１は、接続フラップ１３がスリット１３ｃを有することで、基端部２１ａがスリット１３ｃに嵌合可能に構成されている。これにより、当該箱用シート１は、接続フラップ１３を本体１１ａ及び拡幅部２１ｂの間に容易かつ確実に係止することができる。
【００３６】
折り曲げ容易線１３ｄとしては、シート材の片面を筋押しした罫線であってもよいが、天面部１３ａと折曲部１３ｂとの境界で確実に折り曲げできるよう、複数の切断線と複数の罫線とが交互に連続したリード罫線であることが好ましい。
【００３７】
基端部２１ａがスリット１３ｃに嵌合可能に構成される場合、図６に示すように、折り曲げ容易線１３ｄ及びスリット１３ｃの合計長さ（Ｌ２＋Ｌ３）は、この折り曲げ容易線１３ｄ及びスリット１３ｃに隣接する本体１１ａの上縁の長さ（基端部２１ａの側縁から折り曲げ容易線１３ｄ側に延びる本体１１ａの上縁の長さ）Ｌ４よりも大きい。また、折り曲げ容易線１３ｄ単体の長さＬ２は、この折り曲げ容易線１３ｄに隣接する本体１１ａの上縁の長さＬ４よりも小さい。
【００３８】
折り曲げ容易線１３ｄ及びスリット１３ｃの合計長さ（Ｌ２＋Ｌ３）と本体１１ａの上縁の長さＬ４との差の下限としては、シート厚さが好ましく、シート厚さの１．５倍がより好ましい。一方、上記差の上限としては、シート厚さの４倍が好ましく、シート厚さの３倍がより好ましい。上記差が上記下限に満たないと、基端部２１ａを天面部１３ａと折曲部１３ｂとの側縁間に挟み込み難くなるおそれがある。逆に、上記差が上記上限を超えると、接続フラップ１３と拡幅部２１ｂとが干渉し、接続フラップ１３を基端部２１ａ側まで折り曲げることが困難になるおそれがある。
【００３９】
スリット１３ｃの長さＬ３の下限としては、シート厚さの３倍が好ましく、シート厚さの５倍がより好ましい。一方、スリット１３ｃの長さＬ３の上限としては、シート厚さの１５倍が好ましく、シート厚さの１０倍がより好ましい。上記長さＬ３が上記下限に満たないと、基端部２１ａを天面部１３ａと折曲部１３ｂとの側縁間に挟み込み難くなるおそれがある。逆に、上記長さＬ３が上記上限を超えると、基端部２１ａを天面部１３ａと折曲部１３ｂとの側縁間に確実に挟持し難くなるおそれがある。
【００４０】
（折り返しフラップ）
折り返しフラップ１４は、本体１１ａの上縁から延出し、図２及び図３に示すように、組立状態で本体１１ａの内面側に折り返される。折り返しフラップ１４は、シートの反力で箱体２内に収容される物品を側方から押圧可能に構成される。当該箱用シート１は、折り返しフラップ１４を備えることで、箱体２内に収容される物品を側方から押さえることができ、この物品の箱体２内でのぐらつきを抑制し、この物品を箱体２内に安定的に保持することができる。
【００４１】
図１に示すように、折り返しフラップ１４は、突片１１ｂを取り囲んでいる。具体的には、折り返しフラップ１４と突片１１ｂとは、切断線によって分離されており、両者の切断エッジはこの切断線を挟んで対向している。当該箱用シート１は、折り返しフラップ１４が突片１１ｂを取り囲んでいることによって、箱体２内に収容される物品の箱体２内でのぐらつきをより確実に抑制できると共に、折り返しフラップ１４によって突片１１ｂの意図しない損傷を抑えることができる。
【００４２】
折り返しフラップ１４は、突片１１ｂとの連接部分を除く本体１１ａの上縁の全領域から延出している。これにより、折り返しフラップ１４は、箱体２内で長さ面の両端に亘って配置される。当該箱用シート１は、折り返しフラップ１４が箱体２内で長さ面の両端に亘って配置されることで、箱体２内に収容される物品の箱体２内でのぐらつきをより確実に抑制することができる。
【００４３】
折り返しフラップ１４は、折曲部１３ｂと連続して設けられる。具体的には、折り返しフラップ１４は、本体１１ａの側縁と連続する側縁に切欠きを有しており、この切欠き部分に折曲部１３ｂが配置されている。
【００４４】
折り返しフラップ１４と折曲部１３ｂとは破断容易線２２によって分離可能に接続されている。つまり、一対の折り返しフラップ１４と一対の接続フラップ１３とは側縁同士で分離可能に接続されている。換言すると、当該箱用シート１は、破断容易線２２による接続状態で、一対の折り返しフラップ１４及び一対の接続フラップ１３が一体的に形成されている。当該箱用シート１は、折り返しフラップ１４と折曲部１３ｂとが破断容易線２２によって分離可能に接続されていることによって、組立段階に対応して破断容易線２２を破断することができ、製函時における折曲部１３ｂの意図しない接触を防止することができる。その結果、当該箱用シート１は、製函時における折曲部１３ｂの破損や、折曲部１３ｂとの接触に起因する製函機のトラブルを抑制することができる。
【００４５】
（底外フラップ）
一対の底外フラップ１５は矩形状かつ略同一形状に形成されている。底外フラップ１５の幅は、第１側面パネル１１の左右方向長さと略等しい。底外フラップ１５の延出方向長さは、第２側面パネル１２の左右方向長さの略１／２である。
【００４６】
（底内フラップ）
一対の底内フラップ１６は矩形状かつ略同一形状に形成されている。底内フラップ１６の幅は、第２側面パネル１２の左右方向長さと略等しい。底内フラップ１６の延出方向長さは、底外フラップ１５の延出方向長さと略等しい。
【００４７】
＜利点＞
当該箱用シート１は、第２側面パネル１２の上縁から延出する接続フラップ１３が、天面部１３ａ及び折曲部１３ｂの境界部分で第１側面パネル１１の本体１１ａ及び拡幅部２１ｂの間に係止可能に構成されることで、この天面部１３ａによって内容物を上方から支持可能で、かつこの天面部１３ａ上に他の箱体を積み重ね可能なトレイ状の箱体２に組み立てられる。当該箱用シート１は、各一対の第１側面パネル１１及び第２側面パネル１２を四角筒状に組み立てて箱体２を形成するものであり、Ａ式（いわゆるミカン箱タイプ）用の製函機を用いて安価に製函することができる。
【００４８】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４９】
例えば当該箱用シートは、本体の上縁から延出する上述の折り返しフラップを備えていなくてもよい。但し、当該箱用シートは、上記折り返しフラップを備えることで、内容物のサイズを箱体のサイズに対して正確に調整しなくても、内容物を箱体内で安定的に保持することができる。
【００５０】
当該箱用シートが折り返しフラップを備える場合でも、この折り返しフラップは必ずしも上述の突片を取り囲んでいなくてもよい。
【００５１】
当該箱用シートは、折り返しフラップを備える場合でも、この折り返しフラップと上記折曲部とが破断容易線によって分離可能に接続されない構成とすることも可能である。
【００５２】
上記接続フラップは、上記天面部と折曲部との先端部同士を分離するスリットを有しなくてもよい。例えば上記天面部と折曲部との先端部同士の境界線には、折り曲げ容易線が形成されていてもよい。
【産業上の利用可能性】
【００５３】
以上のように、本発明に係る箱用シートは、トレイ状に組立可能で、かつ製函コストを抑えることができる。
【符号の説明】
【００５４】
１  箱用シート
２  箱体
１１  第１側面パネル
１１ａ  本体
１１ｂ  突片
１２  第２側面パネル
１３  接続フラップ
１３ａ  天面部
１３ｂ  折曲部
１３ｃ  スリット
１３ｄ  折り曲げ容易線
１４  折り返しフラップ
１５  底外フラップ
１６  底内フラップ
１７  糊代
２１ａ  基端部
２１ｂ  拡幅部
２１ｃ  下縁
２１ｄ  側縁
２２  破断容易線
Ｘ  封函テープ
【図１】
2020183268.tif 000003
【図２】
2020183268.tif 000004
【図３】
2020183268.tif 000005
【図４】
2020183268.tif 000006
【図５】
2020183268.tif 000007
【図６】
2020183268.tif 000008
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
左右方向の一方側から他方側に交互に連接され、四角筒状に組み立てられる一対の第１側面パネル及び一対の第２側面パネルと、
上記一対の第２側面パネルの上縁から延出し、内側に折り曲げられる一対の接続フラップと
を備え、
上記一対の接続フラップ間に上部開口が形成される箱型に組立可能であり、
上記第１側面パネルが、略矩形状の本体及びこの本体の上縁の一部から突出する突片を有し、
上記突片が、上記本体の上縁から連続する基端部及びこの基端部から上方に連続する拡幅部を有し、
上記接続フラップが、組立状態で上記一対の第１側面パネルの上縁間に架け渡される天面部及びこの天面部の側縁から延出する折曲部を有し、
上記接続フラップが、上記天面部及び折曲部の境界部分で上記本体及び拡幅部の間に係止可能に構成され、
上記接続フラップが、上記天面部と折曲部との先端部同士を分離するスリットを有し、上記基端部がこのスリットに嵌合可能に構成される箱用シート。
【請求項２】
上記本体の上縁から延出し、組立状態でこの本体の内面側に折り返される折り返しフラップをさらに備える請求項１に記載の箱用シート。
【請求項３】
上記折り返しフラップが上記突片を取り囲んでいる請求項２に記載の箱用シート。
【請求項４】
上記折り返しフラップと上記折曲部とが破断容易線によって分離可能に接続されている請求項２又は請求項３に記載の箱用シート。
【請求項５】
上記本体及び突片間の境界に折り曲げ容易線を有しない請求項１から請求項４のいずれか１項に記載の箱用シート。